【事件の表示】
　平成　６年特許願第３４０６１０号「ガラス板の穿孔装置」拒絶査定不服審判事件〔平成　８年　７月１６日出願公開、特開平　８−１８３０２３〕について、次のとおり審決する。
【結　論】
　本件審判の請求は、成り立たない。
【理　由】
第１．手続の経緯
　本願は、平成６年１２月２８日の出願であって、平成１６年７月１６日付けの拒絶理由通知に対して、同年１０月８日付けで明細書を補正対象とする手続補正がなされ、平成１７年１月３１日付けの最後の拒絶理由通知に対して、同年４月２２日付けの明細書を補正対象とする手続補正がなされたところ、同手続補正は平成１７年９月２９日付けで却下され、同日付けで拒絶査定がなされ、この拒絶査定に対し、同年１１月１０日付けで拒絶査定を不服とする審判請求がなされるとともに、同年１２月７日付けで明細書を補正対象とする手続補正（以下、「本件補正」という。）がなされたものである。
　
第２．本件補正についての補正却下の決定
１　補正却下の決定の結論
　本件補正を却下する。
　
２　理由
（１）補正後の本願発明
　本件補正により、特許請求の範囲は、
「【請求項１】　穿孔されるべきガラス板を支持する支持台と、この支持台に支持されたガラス板の穿孔されるべき部位の周りを挟持する挟持手段と、ガラス板穿孔用の錐を有した穿孔ヘッド手段と、この穿孔ヘッド手段をガラス板に対してＸ軸方向及びＹ軸方向に相対的に移動させるＸ−Ｙ軸移動手段と、穿孔ヘッド手段をＺ軸方向に移動させるＺ軸移動手段と、ガラス板を回転させる回転手段とを具備しており、Ｘ−Ｙ軸移動手段は、穿孔ヘッド手段及び挟持手段が設けられたＸ軸移動台をＸ軸方向に移動させるＸ軸移動装置と、回転手段が設けられたＹ軸移動台をＹ軸方向に移動させるＹ軸移動装置とを具備しており、穿孔ヘッド手段は対向して配された一対の穿孔ヘッドを具備しており、各穿孔ヘッドは、ガラス板穿孔用の前記錐と、この錐を回転させる電動モータとを具備しており、Ｚ軸移動手段は、電動モータで回転される一方の穿孔ヘッドの錐を挟持手段により周りが挟持されたガラス板の穿孔されるべき部位に向かって移動させて、当該一方の穿孔ヘッドの錐でガラス板の一方の面からガラス板の厚みに対して半分程度の深さの孔をガラス板に形成させ、半分程度の深さの孔の形成後に一方の穿孔ヘッドの錐をガラス板から遠ざけさせ、次に、電動モータで回転される他方の穿孔ヘッドの錐をガラス板の穿孔されるべき部位に向かって移動させて、当該他方の穿孔ヘッドの錐で前記半分程度の深さの孔に連通する孔をガラス板の他方の面からガラス板に形成させ、当該孔の形成後に他方の穿孔ヘッドの錐をガラス板から遠ざけさせることによって、穿孔ヘッド手段により所定の連続した一定の孔を形成させるようになっているガラス板の穿孔装置。
　　【請求項２】　挟持手段は、ガラス板の穿孔されるべき部位の周りでガラス板の一方の面を押圧する一方の押圧装置と、ガラス板の穿孔されるべき部位の周りでガラス板の他方の面を押圧する他方の押圧装置とを具備している請求項１に記載のガラス板の穿孔装置。
　　【請求項３】　各押圧装置は、シリンダ装置と、一端に、シリンダ装置のピストンロッドの先端が回転自在に連結され、中間で回動自在に支持されて、ピストンロッドの進退により回動されるアームと、このアームの他端に取り付けられて、アームの一の方向の回動によりガラス板の面に当接し、アームの他の方向の回動によりガラス板の面から離反する環状の押圧体とを具備している請求項２に記載のガラス板の穿孔装置。
　　【請求項４】　Ｘ軸移動装置は、機枠にＸ軸方向に伸びて設けられたＸ軸案内レールと、このＸ軸案内レールにＸ軸方向に移動自在に嵌装されたＸ軸スライダと、Ｘ軸スライダに装着された前記Ｘ軸移動台と、Ｘ軸移動台をＸ軸方向に移動させるＸ軸駆動装置とを具備している請求項１から３のいずれか一項に記載のガラス板の穿孔装置。
　　【請求項５】　Ｘ軸移動台には、穿孔ヘッド手段がＺ軸移動手段を介して設けられている請求項４に記載のガラス板の穿孔装置。
　　【請求項６】　Ｘ軸駆動装置は、機枠に設けられたＸ軸電動モータと、機枠にＸ軸方向に伸びて回転自在に設けられており、Ｘ軸電動モータの出力回転軸に一端で連結されて、Ｘ軸移動台に固定されたナット部材に螺合したねじ軸とを具備している請求項４又は５に記載のガラス板の穿孔装置。
　　【請求項７】　Ｙ軸移動装置は、機枠にＹ軸方向に伸びて設けられたＹ軸案内レールと、このＹ軸案内レールにＹ軸方向に移動自在に嵌装されたＹ軸スライダと、Ｙ軸スライダに装着された前記Ｙ軸移動台と、Ｙ軸移動台をＹ軸方向に移動させるＹ軸駆動装置とを具備している請求項１から６のいずれか一項に記載のガラス板の穿孔装置。
　　【請求項８】　Ｙ軸駆動装置は、機枠に設けられたＹ軸電動モータと、機枠にＹ軸方向に伸びて回転自在に設けられており、Ｙ軸電動モータの出力回転軸に一端で連結されて、Ｙ軸移動台に固定されたナット部材に螺合したねじ軸とを具備している請求項７に記載のガラス板の穿孔装置。
　　【請求項９】　Ｚ軸移動手段は、Ｚ軸方向に伸びて設けられたＺ軸案内レールと、このＺ軸案内レールにＺ軸方向に移動自在に嵌装されたＺ軸スライダと、Ｚ軸スライダに装着されたＺ軸移動台と、Ｚ軸移動台をＺ軸方向に移動させるＺ軸駆動装置とを具備している請求項１から８のいずれか一項に記載のガラス板の穿孔装置。
　　【請求項１０】　Ｚ軸移動台に、穿孔ヘッド手段が設けられている請求項９に記載のガラス板の穿孔装置。
　　【請求項１１】　Ｚ軸駆動装置は、Ｚ軸電動モータと、Ｚ軸方向に伸びて回転自在に設けられており、Ｚ軸電動モータの出力回転軸に一端で連結されて、Ｚ軸移動台に固定されたナット部材に螺合したねじ軸とを具備している請求項９又は１０に記載のガラス板の穿孔装置。
　　【請求項１２】　回転手段は、電動モータと、この電動モータの出力回転軸に入力側が連結され、出力側が、支持台に連結された減速機構とを具備している請求項１から１１のいずれか一項に記載のガラス板の穿孔装置。」
と、補正された。
　
（２）補正事項
　上記補正は、以下の各事項からなる。
　
（ア）補正事項１
　【請求項１】に、
「穿孔されるべきガラス板を支持する支持台と、この支持台に支持されたガラス板の穿孔されるべき部位の周りを挟持する挟持手段と、ガラス板穿孔用の錐を有した穿孔ヘッド手段と、この穿孔ヘッド手段をガラス板に対してＸ軸及びＹ軸方向に相対的に移動させるＸ−Ｙ軸移動手段と、穿孔ヘッド手段をＺ軸方向に移動させるＺ軸移動手段と、ガラス板を回転させる回転手段とを具備しており、穿孔ヘッド手段は対向して配された一対の穿孔ヘッドを具備しており、各穿孔ヘッドは、ガラス板穿孔用の錐と、この錐を回転させる電動モータとを具備しており、Ｚ軸移動手段は、一方の穿孔ヘッドの錐をガラス板の穿孔されるべき部位に向かって移動させて、電動モータで回転される一方の穿孔ヘッドの錐でガラス板の一方の面からガラス板の厚みに対して半分程度の深さの孔をガラス板に形成させた後に一方の穿孔ヘッドの錐をガラス板から遠ざけ、次に、他方の穿孔ヘッドの錐をガラス板の穿孔されるべき部位に向かって移動させて、電動モータで回転される他方の穿孔ヘッドの錐で、一方の穿孔ヘッドの錐により形成させた半分程度の深さの孔に連通するように、ガラス板の他方の面から孔をガラス板に形成させた後に他方の穿孔ヘッドの錐をガラス板から遠ざけて、穿孔ヘッド手段により所定の連続した一定の孔を形成させるようになっているガラス板の穿孔装置。」とあるのを、
「穿孔されるべきガラス板を支持する支持台と、この支持台に支持されたガラス板の穿孔されるべき部位の周りを挟持する挟持手段と、ガラス板穿孔用の錐を有した穿孔ヘッド手段と、この穿孔ヘッド手段をガラス板に対してＸ軸方向及びＹ軸方向に相対的に移動させるＸ−Ｙ軸移動手段と、穿孔ヘッド手段をＺ軸方向に移動させるＺ軸移動手段と、ガラス板を回転させる回転手段とを具備しており、Ｘ−Ｙ軸移動手段は、穿孔ヘッド手段及び挟持手段が設けられたＸ軸移動台をＸ軸方向に移動させるＸ軸移動装置と、回転手段が設けられたＹ軸移動台をＹ軸方向に移動させるＹ軸移動装置とを具備しており、穿孔ヘッド手段は対向して配された一対の穿孔ヘッドを具備しており、各穿孔ヘッドは、ガラス板穿孔用の前記錐と、この錐を回転させる電動モータとを具備しており、Ｚ軸移動手段は、電動モータで回転される一方の穿孔ヘッドの錐を挟持手段により周りが挟持されたガラス板の穿孔されるべき部位に向かって移動させて、当該一方の穿孔ヘッドの錐でガラス板の一方の面からガラス板の厚みに対して半分程度の深さの孔をガラス板に形成させ、半分程度の深さの孔の形成後に一方の穿孔ヘッドの錐をガラス板から遠ざけさせ、次に、電動モータで回転される他方の穿孔ヘッドの錐をガラス板の穿孔されるべき部位に向かって移動させて、当該他方の穿孔ヘッドの錐で前記半分程度の深さの孔に連通する孔をガラス板の他方の面からガラス板に形成させ、当該孔の形成後に他方の穿孔ヘッドの錐をガラス板から遠ざけさせることによって、穿孔ヘッド手段により所定の連続した一定の孔を形成させるようになっているガラス板の穿孔装置。」
と補正する。
　
（イ）補正事項２
　【請求項４】を削除する。
　
（ウ）補正事項３
　【請求項５】を【請求項４】とし、「Ｘ軸スライダに装着されたＸ軸移動台」とあるのを「Ｘ軸スライダに装着された前記Ｘ軸移動台」とするとともに、「請求項１から４のいずれか一項に記載のガラス板の穿孔装置。」とあるのを、「請求項１から３のいずれか一項に記載のガラス板の穿孔装置。」と補正する。
　
（エ）補正事項４
　【請求項６】を【請求項５】とし、「Ｘ軸移動台に、挟持手段及びＺ軸移動手段が設けられている請求項５に記載のガラス板の穿孔装置。」とあるのを、「Ｘ軸移動台には、穿孔ヘッド手段がＺ軸移動手段を介して設けられている請求項４に記載のガラス板の穿孔装置。」と補正する。
　
（オ）補正事項５
　【請求項７】を【請求項６】とし、「請求項５又は６に記載のガラス板の穿孔装置。」とあるのを、「請求項４又は５に記載のガラス板の穿孔装置。」と補正する。
　
（カ）補正事項６
　【請求項８】を【請求項７】とし、「Ｙ軸スライダに装着されたＹ軸移動台」とあるのを「Ｙ軸スライダに装着された前記Ｙ軸移動台」とするとともに、「請求項１から７のいずれか一項に記載のガラス板の穿孔装置。」とあるのを、「請求項１から６のいずれか一項に記載のガラス板の穿孔装置。」と補正する。
　
（キ）補正事項７
　【請求項９】を削除する。
　
（ク）補正事項８
　【請求項１０】を【請求項８】とし、「請求項８又は９に記載のガラス板の穿孔装置。」とあるのを、「請求項７に記載のガラス板の穿孔装置。」と補正する。
　
（ケ）補正事項９
　【請求項１１】を【請求項９】とし、「請求項１から１０のいずれか一項に記載のガラス板の穿孔装置。」とあるのを、「請求項１から８のいずれか一項に記載のガラス板の穿孔装置。」と補正する。
　
（コ）補正事項１０
　【請求項１２】を【請求項１０】とし、「請求項１１に記載のガラス板の穿孔装置。」とあるのを、「請求項９に記載のガラス板の穿孔装置。」と補正する。
　
（サ）補正事項１１
　【請求項１３】を【請求項１１】とし、「請求項１１又は１２に記載のガラス板の穿孔装置。」とあるのを、「請求項９または１０に記載のガラス板の穿孔装置。」と補正する。
　
（ケ）補正事項１２
　【請求項１４】を【請求項１２】とし、「請求項１から１３のいずれか一項に記載のガラス板の穿孔装置。」とあるのを、「請求項１から１１のいずれか一項に記載のガラス板の穿孔装置。」と補正する。
　
（３）補正の適否
　上記補正事項１は、要約すると、以下の各事項からなる。
（ア）補正事項１−１
【請求項１】の記載中、
「この穿孔ヘッド手段をガラス板に対してＸ軸及びＹ軸方向に相対的に移動させるＸ−Ｙ軸移動手段」とあるのを、「この穿孔ヘッド手段をガラス板に対してＸ軸方向及びＹ軸方向に相対的に移動させるＸ−Ｙ軸移動手段」と補正する。
（イ）補正事項１−２
【請求項１】の記載に、
「Ｘ−Ｙ軸移動手段は、穿孔ヘッド手段及び挟持手段が設けられたＸ軸移動台をＸ軸方向に移動させるＸ軸移動装置と、回転手段が設けられたＹ軸移動台をＹ軸方向に移動させるＹ軸移動装置とを具備しており」との記載を加入する。
（ウ）補正事項１−３
【請求項１】の記載中、
「Ｚ軸移動手段は、一方の穿孔ヘッドの錐をガラス板の穿孔されるべき部位に向かって移動させて、電動モータで回転される一方の穿孔ヘッドの錐でガラス板の一方の面からガラス板の厚みに対して半分程度の深さの孔をガラス板に形成させた後に一方の穿孔ヘッドの錐をガラス板から遠ざけ、次に、他方の穿孔ヘッドの錐をガラス板の穿孔されるべき部位に向かって移動させて、電動モータで回転される他方の穿孔ヘッドの錐で、一方の穿孔ヘッドの錐により形成させた半分程度の深さの孔に連通するように、ガラス板の他方の面から孔をガラス板に形成させた後に他方の穿孔ヘッドの錐をガラス板から遠ざけて、穿孔ヘッド手段により所定の連続した一定の孔を形成させるようになっている」とあるのを、
「Ｚ軸移動手段は、電動モータで回転される一方の穿孔ヘッドの錐を挟持手段により周りが挟持されたガラス板の穿孔されるべき部位に向かって移動させて、当該一方の穿孔ヘッドの錐でガラス板の一方の面からガラス板の厚みに対して半分程度の深さの孔をガラス板に形成させ、半分程度の深さの孔の形成後に一方の穿孔ヘッドの錐をガラス板から遠ざけさせ、次に、電動モータで回転される他方の穿孔ヘッドの錐をガラス板の穿孔されるべき部位に向かって移動させて、当該他方の穿孔ヘッドの錐で前記半分程度の深さの孔に連通する孔をガラス板の他方の面からガラス板に形成させ、当該孔の形成後に他方の穿孔ヘッドの錐をガラス板から遠ざけさせることによって、穿孔ヘッド手段により所定の連続した一定の孔を形成させるようになっている」と補正する。
　
　上記補正事項１−２は、「Ｘ−Ｙ軸移動手段」に関して、限定事項を付加するものであって、これは、特許法第１７条の２第４項第２号の特許請求の範囲の減縮を目的とするものに該当する。
　そして、その他の補正は、明りょうでない記載の釈明に該当するものである。
　
（４）請求項１に係る発明について
　そこで、本件補正後の前記請求項１に記載された発明（以下、「本願補正発明１」という。）が特許出願の際独立して特許を受けることができるものであるか（特許法第１７条の２第５項において準用する同法第１２６条第４項の規定に適合するか）について以下に検討する。
　
（５）引用例
　原査定の拒絶の理由に引用された、特開平２−８８１０９号公報（以下、「引用例１」という。）には、図面とともに、以下の記載がある。
（ア）特許請求の範囲
「１）必要な孔径に対応した所定数の穿孔工具と、
　穿孔ステージにて上記穿孔工具を穿孔動作位置と待機位置との間で昇降動させる工具駆動手段と、
　板材保持部を有し、穿孔ステージの所定平面の任意の方向において上記板材保持部を移動自在に支承する可動テーブルと、
　この可動テーブルを移動させるテーブル駆動手段と、
　板材の穿孔情報に従ってテーブル駆動手段及び工具駆動手段を順次駆動させ、各穿孔情報毎に上記可動テーブルの板材保持部に位置決め保持された板材の穿孔対象位置を使用対象穿孔工具位置に対応させて設定した後、待機位置にある使用対象穿孔工具を穿孔動作位置に設定する駆動制御手段とを備えていることを特徴とする板材の穿孔装置。」
（イ）公報第３頁右上欄第１０行〜第１５行
「そしてまた可動テーブル３としては、上記板材保持部３ａを任意の方向Ｗに沿って移動自在に支承できるものであれば、二方向（Ｘ，Ｙ方向）に直線移動するＸテーブルとＹテーブルとを組合せてもよいし、Ｘテーブルと回転テーブルとを組合せる等適宜選択して差支えない。」
（ウ）公報第４頁右上欄第１５行〜左下欄第１行
「この実施例において、上記ドリルユニット２０，２１は、特に第５図に示すように、上下方向において互いに対向配置されており、各ドリルユニット２０，２１は異なる孔径用のドリル（この実施例ではダイヤモンド砥粒を埋設してなるカップ形のコアドリル）２２を有し、このドリル２２を駆動モータ２３にて回動するようになっている。」
（エ）公報第４頁左下欄第１８行〜右下欄第１５行
「更に、上記工具ユニットＵ１にはドリルユニット２０，２１による穿孔動作時にガラス板Ｇを局部的に拘束保持するクランプ手段４０が設けられている。このクランプ手段４０は、特に第６図に示すように、ドリルユニット２０，２１に対応した位置において互いに対向するリング状の上下各一対のクランパ４１，４２を有し、各クランパ４１，４２を支持プレート４３で支持すると共に、サポート１３，１４の両側部に枢着された各対の揺動アーム４４で上記各支持プレート４３を揺動支持し、上記各対の揺動アーム４４の枢着部分４５の反対側には駆動伝達アーム４６を一体的に突設すると共に、上記サポート１３，１４の側部に固定された駆動用エアシリンダ４７のピストンロッド４８先端と駆動伝達アーム４６の先端付近とを連結し、駆動用エアシリンダ４７を適宜作動させて上記各クランパ４１，４２でガラス板Ｇを拘束保持するものである。」
（オ）公報第５頁左上欄第４行〜第９行
「上記可動テーブル５０は、上記工具側ユニットＵ１に突当る方向（この実施例ではＸ方向とする）に沿って延びるＸテーブル５１と、このＸテーブル５１上に固定される回転テーブル５５と、この回転テーブル５５の頂頭面に形成される吸着保持部５８とで構成されている。」
（カ）公報第５頁左下欄第６行〜第１０行
「また、回転テーブル駆動手段７６は、駆動モータ（この実施例ではサーボモータ）７７と、この駆動モータ７７からの駆動力を減速して上記回転シャフト５６に伝達する減速機７８とで構成されている。」
（キ）公報第９頁左下欄第１８行〜第１０頁左上蘭第５行
「実施例２
　第２５図ないし２８図は、穿孔対象となる孔径が一つの場合のガラス板の穿孔装置の実施例を示すもので、実施例１と同様に、工具側ユニットＵ１とテーブル側ユニットＵ２とを備えている。尚、実施例１と同様な構成部材については実施例１と同様な符号を付してここではその詳細な説明を省略する。
　同図において、工具側ユニットＵ１は、実施例１と異なり、上下の実施例１より幅狭のサポート１３，１４の突出端面に上下一対のドリルユニット２０（具体的には２０ａ，２０ｂ）を昇降駆動手段３０にて昇降自在に設けたものである。また、クランプ手段４０は、リング状の上下一対のクランパ１８１，１８２を有し、上側クランパ１８１については実施例１と同様な駆動機構（図示せず）を用いて移動自在にしているが、下側クランパ１８２については予め所定の位置に固定したものになっている。
　また、テーブル側ユニットＵ２の可動テーブル５０は、実施例１と異なり、上記工具側ユニットＵ１に突当る方向と直交する方向（この実施例ではＸ方向とする）に沿って延びるＸテーブル１９１と、このＸテーブル１９１上に設置されてＸ方向と直交する方向（この実施例ではＹ方向とする）に沿って延びるＹテーブル１９５と、このＹテーブル上に設けられる吸着プレート２０１とで構成されている。」
　
（キ）引用例１に記載された発明
　 以上の記載によれば、引用例１には、第２５図に示される実施例２として以下の発明（以下、「引用発明１」という。）が記載されているものと認められる。
「穿孔されるべきガラス板を支持する吸着保持部と、
　この吸着保持部に支持されたガラス板の穿孔されるべき部位の周りを挟持するクランプ手段と、
　ガラス板穿孔用のドリルを有したドリルユニットと、
　このドリルユニットをガラス板に対してＸ軸方向及びＹ軸方向に相対的に移動させるテーブル側ユニットと、
　ドリルユニットをＺ軸方向に移動させる昇降駆動手段と、
　ドリルユニットは対向して配された一対のドリルユニットを具備しており、
　各ドリルユニットは、ガラス板穿孔用の前記ドリルと、このドリルを回転させる駆動モータとを具備しているガラス板の穿孔装置。」
　
（６）対比
　そこで、本願補正発明１と引用発明１を比較すると、両者は共に、「ガラス板の穿孔装置」である点で一致しており、前者の「穿孔ヘッド手段」が後者の「ドリルユニット」に、前者の「支持台」が後者の「吸着保持部」に、
前者の「挟持手段」が後者の「クランプ手段」に、前者の「電動モータ」が後者の「駆動モータ」に相当していることが明らかである。
　
　してみれば、両者の一致点・相違点は、下記のとおりである。
＜一致点＞
「穿孔されるべきガラス板を支持する支持台と、
　この支持台に支持されたガラス板の穿孔されるべき部位の周りを挟持する挟持手段と、
　ガラス板穿孔用の錐を有した穿孔ヘッド手段と、
　この穿孔ヘッド手段をガラス板に対してＸ軸方向及びＹ軸方向に相対的に移動させるＸ−Ｙ軸移動手段と、
　穿孔ヘッド手段をＺ軸方向に移動させるＺ軸移動手段と、
　穿孔ヘッド手段は対向して配された一対の穿孔ヘッドを具備しており、
　各穿孔ヘッドは、ガラス板穿孔用の前記錐と、この錐を回転させる電動モータとを具備しているガラス板の穿孔装置。」
　
＜相違点１＞
　本願補正発明１は、「ガラス板を回転させる回転手段を具備している」のに対して、引用発明１はガラス板を回転させる回転手段を備えていない点。
　
＜相違点２＞
　本願補正発明１は、「Ｘ−Ｙ軸移動手段は、穿孔ヘッド手段及び挟持手段が設けられたＸ軸移動台をＸ軸方向に移動させるＸ軸移動装置と、回転手段が設けられたＹ軸移動台をＹ軸方向に移動させるＹ軸移動装置とを具備している」のに対して、引用発明１は、Ｘ−Ｙ軸移動手段に相当するテーブル側ユニットを具備するものの、穿孔ヘッド手段及び挟持手段に相当するドリルユニット及びクランプ手段がＸ軸移動台に設けられていない点。
　
＜相違点３＞
　本願補正発明１は、「Ｚ軸移動手段は、電動モータで回転される一方の穿孔ヘッドの錐を挟持手段により周りが挟持されたガラス板の穿孔されるべき部位に向かって移動させて、当該一方の穿孔ヘッドの錐でガラス板の一方の面からガラス板の厚みに対して半分程度の深さの孔をガラス板に形成させ、半分程度の深さの孔の形成後に一方の穿孔ヘッドの錐をガラス板から遠ざけさせ、次に、電動モータで回転される他方の穿孔ヘッドの錐をガラス板の穿孔されるべき部位に向かって移動させて、当該他方の穿孔ヘッドの錐で前記半分程度の深さの孔に連通する孔をガラス板の他方の面からガラス板に形成させ、当該孔の形成後に他方の穿孔ヘッドの錐をガラス板から遠ざけさせることによって、穿孔ヘッド手段により所定の連続した一定の孔を形成させるようになっている」のに対して、引用発明１は、ドリルユニットがこのような順序で穿孔動作するのかが不明である点。
　
（７）判断
（ア）相違点１について
  前記第２．２（５）（オ），（カ）に摘記したように、引用例１には、別の実施例としてではあるが、ガラス板を回転させる回転テーブルが示されており、この回転テーブルが、本願補正発明１の回転手段に相当することは、その作用・機能から明らかである。
　してみれば、相違点１に係る構成の違いは、引用発明１に引用例１に記載の事項を組み合わせることにより、当業者が容易に発明できた事項である。
（イ）相違点２について
　工作機械の分野においては、本願補正発明１のガラス板に相当するワークを支持する支持台をＹ軸方向に移動するテーブルに載せ、本願補正発明１の穿孔ヘッド手段に相当する主軸をＸ軸方向に移動するＸ軸移動台に設置することは、例えば、特開平４−１８９４３７号公報、実公昭４６−２７１９０
号公報、特開平５−１１１８５８号公報等にみられるように周知の事項であり、穿孔ヘッド手段と挟持手段を、組み合わせて用いることは引用発明１に示されている。
　してみれば、上記相違点２に係る構成の違いは、引用発明１に上記周知事項を適用することにより、当業者が容易に発明できた事項である。
（ウ）相違点３について
　ガラス板に穿孔する技術分野において、本願補正発明１と同様な順序で連続した一定の孔を形成することは、例えば、実開平６−１６４３４号のＣＤ−ＲＯＭ、特開昭５２−７８２１５号公報等にみられるように周知の事項である。
　してみれば、上記相違点３に係る構成の違いは、引用発明１に上記周知事項を適用することにより、当業者が容易に発明できた事項である。
（エ）まとめ
　したがって、本願補正発明１は、引用発明１、及び周知事項に基いて、当業者が容易に発明をすることができたものであるから、特許法第２９条第２項の規定により特許出願の際独立して特許を受けることができないものである。
（８）むすび
　以上のとおり、本件補正は、特許法第１７条の２第５項において準用する同法第１２６条第４項の規定に違反するので、特許法第１５９条第１項で読み替えて準用する同法第５３条第１項の規定により却下されるべきものである。
　
第３．本願発明について
１　本願発明
　本件補正は上記のとおり却下されたので、本願の請求項１ないし１４に係る発明は、平成１６年１０月８日付け手続補正書の特許請求の範囲の請求項１ないし１４に記載されたとおりのものと認められるところ、その請求項１に係る発明（以下、「本願発明１」という。）は、以下のとおりのものである。
「穿孔されるべきガラス板を支持する支持台と、
　この支持台に支持されたガラス板の穿孔されるべき部位の周りを挟持する挟持手段と、
　ガラス板穿孔用の錐を有した穿孔ヘッド手段と、
　この穿孔ヘッド手段をガラス板に対してＸ軸及びＹ軸方向に相対的に移動
させるＸ−Ｙ軸移動手段と、
　穿孔ヘッド手段をＺ軸方向に移動させるＺ軸移動手段と、
　ガラス板を回転させる回転手段とを具備しており、
　穿孔ヘッド手段は対向して配された一対の穿孔ヘッドを具備しており、
　各穿孔ヘッドは、ガラス板穿孔用の錐と、この錐を回転させる電動モータ
とを具備しており、
　Ｚ軸移動手段は、一方の穿孔ヘッドの錐をガラス板の穿孔されるべき部位に向かって移動させて、電動モータで回転される一方の穿孔ヘッドの錐でガラス板の一方の面からガラス板の厚みに対して半分程度の深さの孔をガラス板に形成させた後に一方の穿孔ヘッドの錐をガラス板から遠ざけ、次に、他方の穿孔ヘッドの錐をガラス板の穿孔されるべき部位に向かって移動させて、電動モータで回転される他方の穿孔ヘッドの錐で、一方の穿孔ヘッドの錐により形成させた半分程度の深さの孔に連通するように、ガラス板の他方の面から孔をガラス板に形成させた後に他方の穿孔ヘッドの錐をガラス板から遠ざけて、穿孔ヘッド手段により所定の連続した一定の孔を形成させるようになっているガラス板の穿孔装置。」
２　引用例
　原査定の拒絶の理由に引用された引用例、および、その記載事項、ならびに周知事項は、前記第２．に記載したとおりである。
３　対比・判断
　本願発明１は、前記第２．で検討した本願補正発明１から、前記第２．２（２）（ア）に記載した補正事項１の構成を省いたものである。
　そうすると、本願発明１の構成を全て含み、さらに他の構成を付加したものに相当する本願補正発明１が、前記第２．２（４）〜（７）に記載したとおり、引用発明１、及び周知事項に基いて、当業者が容易に発明をすることができたものであるから、本願発明１も、同様の理由により、引用発明１、及び周知事項に基いて、当業者が容易に発明をすることができたものである。
４　むすび
　以上のとおり、本願発明１は、引用発明１、及び周知事項に基いて、当業者が容易に発明をすることができたものであるから、特許法第２９条第２項の規定により特許を受けることができず、その他の請求項について検討するまでもなく、本願は拒絶すべきものである。
　よって、結論のとおり審決する。